(57)【要約】      （修正有）【課題】機械室内にドレン水の蒸発装置を含む冷却ユニットを備えるショーケースのドレン水を、どのような機械室レイアウトであっても、冷却ユニットを引き出すことなく、排水を可能とする。【解決手段】ショーケース本体の下部に形成される機械室３内に、ドレン水の蒸発装置９を設けたショーケースにおいて、ドレン水の蒸発装置９の蒸発皿４よりドレン水をショーケース本体の下部外面まで導水する排水管１１を設けた。【選択図】図１
2014001877.tif 000002
【特許請求の範囲】
【請求項１】
ショーケース本体の下部に形成される機械室内にドレン水の蒸発装置を設けたショーケースにおいて、ドレン水の蒸発装置の蒸発皿よりドレン水をショーケース本体の下部外面まで導水する排水管を設けたことを特徴とするショーケース。
【請求項２】
ドレン水の蒸発装置の蒸発皿に排水口を形成し、排水管はこの排水口に接続する金属管とその先に連結する可撓管からなる請求項１記載のショーケース。
【発明の詳細な説明】
【技術分野】
【０００１】
本発明は、ショーケース本体の下部に形成される機械室内にドレン水の蒸発装置を設けたショーケースに関するものである。
【背景技術】
【０００２】
下記特許文献１にもあるが、図３に示すように、スーパーマーケットなどの店舗に設置されるオープンタイプの縦型ショーケースは、ショーケース本体１の下部に形成される機械室３内に凝縮器２や圧縮機などにより構成される冷凍ユニットを配設し、ショーケース本体の背面側に設置した冷却器で冷却した冷気で商品収納庫１ａ内に収納した商品を冷却するもので、冷気は循環される。８はショーケースコントローラを示す。
【特許文献１】特開２００７−３３３２８１号公報
【０００３】
かかるショーケースでは、ショーケース本体１に設置した冷却器からの除霜水などのドレン水を処理する装置として、例えば、下記特許文献にも示すように、商品を収納陳列するショーケース本体の下方に形成される機械室３内にドレン水を強制的に蒸発するするドレン水の蒸発装置９を設置している。
【特許文献２】実開平５−５９１８０号公報
【特許文献３】実開平２−２４２７２号公報
【０００４】
このドレン水の蒸発装置９は、ショーケース本体１の底部に形成したドレン口に接続するドレン管の下方に位置させて、機械室３内に配設され、ドレン水を溜める蒸発皿（ドレンパン）４内に蒸発材として、多数枚が並列する蒸発板７を配設した。
【０００５】
他方、前記のように、機械室３内には冷却ユニットとして、圧縮機、凝縮器２、送風機６が設置されており、送風機６により凝縮器２等を通過した温風を蒸発板７に当て、これにより蒸発板７に含ませたドレン水を、排熱を利用して強制的に蒸発させる。
【０００６】
図中５は、ドレン水の満水を検知する水位検知センサで、フロート式のセンサを使用し、蒸発皿４に水位検知センサ５を設置し、水面の変動を計測することで水位を計測している。
【発明の概要】
【発明が解決しようとする課題】
【０００７】
庫内からのドレン水を蒸発させる前記蒸発装置にて、環境の悪条件下や蒸発装置の極端な劣化により蒸発量が１００％確保できない場合がある。
【０００８】
その場合、蒸発皿４にドレン水が溜まり、その量が一定の水位になると水位センサ５が作動する。
【０００９】
水位センサの作動は蒸発皿４内のドレン水を捨てる事によってリセットされるが、蒸発装置が凝縮器２や送風機６の背面に配置される機械室レイアウトの場合、冷却ユニットを前面に引き出してメンテナンスすることが必要となる。
【００１０】
この引き出し作業は工具を用いる等、店舗の従業員などが作業するのには手間がかかる等の問題点がある上、ドレン水の蒸発装置は、出来るだけ機械室の開口部が設けられるショーケースの正面側にレイアウトする必要性が生じていた。
【００１１】
本発明の目的は前記従来例の不都合を解消し、どのような機械室レイアウトであっても、ドレン水を、冷却ユニットを引き出すことなく排水可能とすることで、店舗の従業員でも容易に排水することができるショーケースを提供することにある。
【課題を解決するための手段】
【００１２】
前記目的を達成するため請求項１記載の本発明は、ショーケース本体の下部に形成される機械室内にドレン水の蒸発装置を設けたショーケースにおいて、ドレン水の蒸発装置の蒸発皿よりドレン水をショーケース本体の下部外面まで導水する排水管を設けたことを要旨とするものである。
【００１３】
請求項１記載の本発明によれば、蒸発皿にドレン水が溜まり、その量が一定の水位になって水位センサが作動した場合に、排水管によりドレン水をショーケース本体の下部外面まで導水することができるので、ドレン水を、冷却ユニットを引き出すことなく排水可能とすることができる。
【００１４】
請求項２記載の本発明は、蒸発装置の蒸発皿に排水口を形成し、排水管はこの排水口に接続する金属管とその先に連結する可撓管からなることを要旨とするものである。
【００１５】
請求項２記載の本発明によれば、排水管はこの排水口に接続する金属管とその先に連結する可撓管からなるので、金属管により排水のための水勾配を確保できるとともに、通常状態では可撓管の先端を排水口の高さより高い位置で保持することで排水管からの水漏れを防止し、水位センサが作動した際に、可撓管先端を排水口より低い位置に配置して排水を行うことができる。
【発明の効果】
【００１６】
以上述べたように本発明のショーケースは、どのような機械室レイアウトであっても、ドレン水を冷却ユニットを、引き出すことなく排水可能とすることで、店舗の従業員でも容易に排水することができるものである。
【発明を実施するための形態】
【００１７】
以下、図面について本発明の実施の形態を詳細に説明する。図１は本発明のショーケースの１実施形態を示す機械室部分の斜視図、図２は要部を示すドレン水の蒸発装置部分の斜視図で、機械室３は圧縮機１８、凝縮器２、送風機６、ドレン水の蒸発装置９が設置される。
【００１８】
機械室３の前面は、メンテナンスのための開口部１５に形成し、この開口部を点検蓋１６で開閉自在に覆う。
【００１９】
ドレン水の蒸発装置９は従来と同じくドレン水を溜める蒸発皿（ドレンパン）４内に蒸発材として、多数枚が並列する蒸発板７を配設し、その上に不織布による蒸発布１０を敷設したもので、フロート式の水位検知センサ５を付設している。
【００２０】
図示の例では、凝縮器２、送風機６、ドレン水の蒸発装置９は２セットが機械室３内に並設されている。
【００２１】
本発明は、ドレン水の蒸発装置９の蒸発皿４に突出管による排水口１４を形成し、この排水口１４に排水管１１を設けて、蒸発皿４からのドレン水をショーケース本体の下部外面（前面）まで導水するようにした。
【００２２】
排水管１１は、排水口１４に接続する金属管１２とその先に連結する可撓管１３からなるものとし、金属管１２にはステンレス管を、可撓管１３にはゴム管を使用するが、ステンレス管を銅管に、ゴム管をビニールホースに変更することも可能である。
【００２３】
金属管１２には排水のための水勾配をつけ、また、可撓管１３の先端は、点検蓋１６に裏側に当接する位置まで伸びるようにする。
【００２４】
なお、排水管１１のすべてを、抗菌材入りのゴムホースで構成することもできる。
【００２５】
送風機６により凝縮器２等を通過した温風を蒸発板７に当て、これにより蒸発板７に含ませたドレン水の排熱を利用して強制的に蒸発させるが、蒸発皿４が満水の場合、水位検知センサ５がこれを検知してブザー、ランプ、エラー表示等で報知する。
【００２６】
これにより、点検蓋１６で開けて、排水管１１により蒸発皿４のドレン水を排水することができる。
【００２７】
なお、可撓管１３の先端は紐等の吊り具１７で係り止めできるようにしておく。
【図面の簡単な説明】
【００２８】
【図１】本発明のショーケースの１実施形態を示す機械室部分の斜視図である。
【図２】本発明のショーケースの要部を示すドレン水の蒸発装置部分の斜視図である。
【図３】オープンショーケースの斜視図である。
【符号の説明】
【００２９】
１…ショーケース本体            １ａ…商品収納庫
２…凝縮器                      ３…機械室
４…蒸発皿                      ５…水位検知センサ
６…送風機                      ７…蒸発板
８…ショーケースコントローラ
９…ドレン水の蒸発装置          １０…蒸発布
１１…排水管                    １２…金属管
１３…可撓管                    １４…排水口
１５…開口部                    １６…点検蓋
１７…吊り具                    １８…圧縮機
【図１】
2014001877.tif 000003
【図２】
2014001877.tif 000004
【図３】
2014001877.tif 000005